(57)【要約】  移動通信装置と共に使用するキーボードのような可動式機能エレメントが提供される。このエレメントは２つの翼部に構成される。閉じた位置と開いた位置との間でカバーが旋回するとき、機能エレメントが隠れる後退位置と、通常の用途に用いるために装置の機能エレメントを露出する拡張位置との２つの位置の間で、上記翼部は装置本体とカバーとに対して相対運動を行う。
2007518286.tif 000002
【特許請求の範囲】
【請求項１】
（ａ）基部エレメントと、
（ｂ）往復運動を行うために後退位置と拡張位置との間に取り付けられた少なくとも１つの機能エレメントと、
（ｃ）上面と下面とを有するカバーエレメントと、を具備する移動通信装置であって、前記カバーエレメントは、閉じた位置と開いた位置との間で前記基部エレメントに対して相対運動を行うように取り付けられ、且つ、前記閉じた位置と前記開いた位置との間で前記カバーエレメントが相対運動を行っている間に前記少なくとも１つの機能エレメントを前記後退位置と前記拡張位置との間で動かすようになっている移動通信装置。
【請求項２】
前記少なくとも１つの機能エレメントは、前記開いた位置および前記拡張位置において、作業に使用するために露出され、且つ、前記カバーエレメントおよび前記少なくとも１つの機能エレメントは、前記閉じた位置および前記後退位置において、一直線にオーバラップする請求項１に記載の移動通信装置。
【請求項３】
前記カバーエレメントは、前記基部エレメントに回転可能に取り付けられた旋回可能カバーエレメントである請求項１に記載の移動通信装置。
【請求項４】
前記旋回可能カバーエレメントは、当該旋回可能カバーエレメントの前記上面および前記下面に対して概ね垂直に延伸する軸の周りで、前記基部エレメントに回動可能に取り付けられている請求項３に記載の移動通信装置。
【請求項５】
前記旋回可能カバーエレメントは、前記少なくとも１つの機能エレメントの前記往復運動に対して概ね垂直に延伸する軸の周りで、前記基部エレメントに回動可能に取り付けられている請求項１に記載の移動通信装置。
【請求項６】
前記カバーエレメントは、前記閉じた位置と前記開いた位置との間で９０度回転される請求項５に記載の移動通信装置。
【請求項７】
前記カバーエレメントは、前記閉じた位置と前記開いた位置との間で９０度回転される請求項１に記載の移動通信装置。
【請求項８】
前記カバーエレメントおよび前記少なくとも１つの機能エレメントのうちの一方のエレメントは、少なくとも１つの偏心溝を規定し、前記カバーエレメントおよび前記少なくとも１つの機能エレメントのうちの他方のエレメントは、前記偏心溝の中に捕捉された少なくとも１つのピンを有し、それによって、前記閉じた位置と前記開いた位置との間で前記カバーエレメントが前記基部エレメントに対して相対運動を行っている間に、前記少なくとも１つの溝内の前記少なくとも１つのピンの機械的干渉は、前記後退位置と前記拡張位置との間で前記少なくとも１つの機能エレメントを動かす請求項１に記載の移動通信装置。
【請求項９】
前記少なくとも１つの溝は、前記カバーエレメントの中に規定され、前記少なくとも１つのピンは、前記少なくとも１つの機能エレメントに配置される請求項８に記載の移動通信装置。
【請求項１０】
前記少なくとも１つの機能エレメントは、往復運動を行うために、前記基部エレメント内の少なくとも１つのチャネル中に摺動可能に受け取られ、それによって、前記カバーエレメントおよび前記少なくとも１つの機能エレメントは、前記後退位置と前記拡張位置との間で前記少なくとも１つの機能エレメントを動かすために、前記閉じた位置と前記開いた位置との間での前記基部エレメントに対する前記カバーエレメントの相対運動の間に機械的に相互作用する請求項１に記載の移動通信装置。
【請求項１１】
前記カバーエレメントは、前記後退位置と前記拡張位置との間で前記少なくとも１つの機能エレメントを動かすために、前記閉じた位置と前記開いた位置との間での前記基部エレメントに対する前記カバーエレメントの相対運動の間に前記少なくとも１つの機能エレメントを係合する少なくとも１つのローラーを当該カバーエレメント上に有する請求項１０に記載の移動通信装置。
【請求項１２】
前記少なくとも１つの機能エレメントは、前記閉じた位置と前記開いた位置との間で前記カバーエレメントが前記基部エレメントに対して相対運動を行っている間に、当該少なくとも１つの機能エレメントが前記後退位置と前記拡張位置との間で移動されるとき、前記少なくとも１つのローラーに対して前記少なくとも１つの機能エレメントをバイアスするための少なくとも１つの引っ張りバネエレメントを有する請求項１１に記載の移動通信装置。
【請求項１３】
前記少なくとも１つの機能エレメントは、前記開いた位置および前記拡張位置において前記少なくとも１つのローラーを捕捉して中へ入れるための少なくとも１つの溝を有する請求項１２に記載の移動通信装置。
【請求項１４】
前記少なくとも１つの機能エレメントは、前記開いた位置および前記拡張位置において前記少なくとも１つのローラーを捕捉して中へ入れるための少なくとも１つの溝を有する請求項１１に記載の移動通信装置。
【請求項１５】
前記閉じた位置と前記開いた位置との間での前記基部エレメントに対する前記カバーエレメントの相対運動の間に、前記後退位置と前記拡張位置との間で前記少なくとも１つの機能エレメントが動かされるとき、前記少なくとも１つの機能エレメントは、前記カバーエレメントに抗して前記少なくとも１つの機能エレメントにバイアスをかけるための少なくとも１つの引っ張りバネエレメントを有する請求項１０に記載の移動通信装置。
【請求項１６】
前記カバーエレメントは、前記閉じた位置と前記開いた位置との間で前記基部エレメントに対して相対運動を行っている間に、前記後退位置と前記拡張位置との間で前記少なくとも１つの機能エレメントを動かすとき、前記少なくとも１つの機能エレメントは、前記カバーエレメントに抗して前記少なくとも１つの機能エレメントにバイアスをかけるための少なくとも１つの引っ張りバネエレメントを有する請求項１に記載の移動通信装置。
【請求項１７】
ユーザに対して情報を目に見える形で表示するために前記カバーエレメントの前記上面に構成した画面をさらに備える請求項１に記載の移動通信装置。
【請求項１８】
前記少なくとも１つの機能エレメントは、ファンクションキーボードである請求項１に記載の移動通信装置。
【請求項１９】
前記ファンクションキーボードは、前記後退位置と前記拡張位置との間で前記基部エレメントにおいて往復運動を行うために個々に取り付けた２つの部分に構成され、前記ファンクションキーボードの部分の各々は、選択済みの機能と呼応するキー配列を有する請求項１８に記載の移動通信装置。
【請求項２０】
前記ファンクションキーボードの前記２つの部分は、前記後退位置から前記拡張位置へ動いている間は互いから離れて動き、前記拡張位置から前記後退位置へ動いている間は互いの方へ向かって動く請求項１９に記載の移動通信装置。
【請求項２１】
前記開いた位置および前記拡張位置において、前記２つの部分は、前記カバーエレメントの対抗する側部に存在する請求項１９に記載の移動通信装置。
【請求項２２】
前記ファンクションキーボードは、前記開いた位置および前記拡張位置で作業に使用するために露出され、前記閉じた位置および前記後退位置で前記カバーエレメントおよび前記ファンクションキーボードは、オーバラップする位置合わせの状態にある請求項１８に記載の移動通信装置。
【請求項２３】
前記ファンクションキーボードは、前記２つの部分の間で分割されたフルファンクション・クアーティーキー配列を具備する請求項１８に記載の移動通信装置。
【請求項２４】
前記ファンクションキーボードは、選択済みの機能と呼応するキー配列を有し、前記閉じた位置および前記後退位置におけるキーの前記配列と前記カバーエレメントとの間の干渉を防ぐためにキーの前記配列をオフセットする請求項１８に記載の移動通信装置。
【請求項２５】
前記カバーエレメントの前記上面に構成された通信用キーパッドをさらに備え、該キーパッドは、前記閉じた位置および前記開いた位置で作業に使用するために露出される請求項１に記載の移動通信装置。
【発明の詳細な説明】
【技術分野】
【０００１】
本発明は、広く移動通信装置等に関する。特に、本発明は、コンパクトな移動通信装置を生み出す可動式機能エレメントに関する。
【背景技術】
【０００２】
移動電話および同様の通信装置は、用途および機能の点で急速に拡大しつつある。このような装置によって、電話通信に加えて、インターネットアクセス、個人情報の管理およびファクシミリ、メッセージ通信が提供されている。これを達成するためには、移動通信装置が現在適合しているさらに複雑なアプリケーションとの互換性を有するキーボードを設ける必要がある。移動通信装置で求められるコンパクトなサイズを維持しながら、キーおよびボタンのクアーティーキー配列（standard QWERTY typing array）を有するフルファンクションキーボードの提供は容易ではない。このような装置は、現今のマーケットでは扱い難く、ユーザは、移動通信装置を運ぶために別のベルトポーチを携帯する必要が生じる場合が多い。ディスプレイ、カメラ、スピーカ等のような別の機能エレメントも移動通信装置にコンパクトに設ける必要がある。
【０００３】
キーパッドなどの隠れた機能エレメントを露出する種々の装置が市販されている。しかし、これらの装置は、概ね、ヒンジで動くようにした軸回転部を基部とする構造に設けられた単純なヒンジ構造からなる装置である。
【発明の開示】
【発明が解決しようとする課題】
【０００４】
閉じた位置と開いた位置との間で動かすことが可能なカバーを有する、移動通信装置として使用するキーボードのような新規の可動式機能エレメントを提供して、機能エレメントを隠す後退位置と機能エレメントを露出する拡張位置との間で通常の用途に用いるために、この機能エレメントを動かすようにすることが本発明の目的である。
【０００５】
移動通信装置を適合させる増大する適合対象アプリケーションに対処するフルファンクションキーボードを提供するための単純でかつ費用のかからない手段の提供もまた本発明の目的である。
【０００６】
簡単で経済的に製造することが可能で、且つ、長い稼働耐用期間を享受する装置の提供も本発明のさらに別の目的である。
【０００７】
移動通信装置は、基部エレメントと、後退位置と拡張位置間で上記基部エレメントにおいて往復運動を行うために取り付けた少なくとも１つの機能エレメントと、上面および下面を有するカバーエレメントとを具備するものであることが現在判っている。上記カバーエレメントは、閉じた位置と開いた位置との間でのカバーエレメントに対する相対運動を行うために基部エレメントに取り付けられ、閉じた位置と開いた位置との間でカバーエレメントが相対運動を行っている間に、後退位置と拡張位置との間で少なくとも１つの機能エレメントを動かすようになっている。
【０００８】
開いた位置および拡張位置における作業に使用するために少なくとも１つの機能エレメントを露出し、カバーエレメントと少なくとも１つの機能エレメントとが、閉じた位置と後退位置とでオーバラップする位置合わせの状態になるようにすることが望ましい。
【課題を解決するための手段】
【０００９】
本発明によれば、上記カバーエレメントは、このカバーエレメントの上面および下面に対して概ね垂直に延伸し、且つ、少なくとも１つの機能エレメントの往復運動に対して概ね垂直に延伸する軸の周りに基部エレメントに回転可能に取り付けた旋回可能カバーエレメントである。このカバーエレメントは、閉じた位置と開いた位置との間での回転中に９０度回転される。
【００１０】
１つの実施形態では、上記カバーエレメントと少なくとも１つの機能エレメントとのうちの一方のエレメントが少なくとも１つの偏心溝を画定し、カバーエレメントと少なくとも１つの機能エレメントとのうちの他方のエレメントが偏心溝の中に捕捉された少なくとも１つのピンを有し、それによって、閉じた位置と開いた位置との間でカバーエレメントが基部エレメントに対して相対運動を行っている間に、少なくとも１つの溝の中の少なくとも１つのピンの機械的干渉によって、後退位置と拡張位置との間で少なくとも１つの機能エレメントが動かされることになる。カバーエレメントの中に少なくとも１つの溝を画定することが可能であり、少なくとも１つの機能エレメントに少なくとも１つのピンを配置することが可能である。
【００１１】
別の実施形態では、往復運動を行うための基部エレメント内の少なくとも１つのチャネルの中に少なくとも１つの機能エレメントが摺動可能に受け入れられ、それによって、閉じた位置と開いた位置との間でカバーエレメントが基部エレメントに対して相対運動を行っている間に、カバーエレメントと少なくとも１つの機能エレメントとは機械的相互作用を行って、少なくとも１つの機能エレメントを後退位置と拡張位置との間で動かすことになる。カバーエレメントは、閉じた位置と開いた位置との間でカバーエレメントが基部エレメントに対して相対運動を行っている間に、少なくとも１つの機能エレメントを係合して、後退位置と拡張位置との間で少なくとも１つの機能エレメントを動かす少なくとも１つのローラーを該カバーエレメントの中に有する。閉じた位置と開いた位置との間でカバーエレメントが基部エレメントに対して相対運動を行っている間に、少なくとも１つの機能エレメントが後退位置と拡張位置との間で動くとき、少なくとも１つの機能エレメントが、少なくとも１つのローラーに抗して少なくとも１つの機能エレメントにバイアスをかける少なくとも１つの引っ張りバネエレメントを有する。少なくとも１つの機能エレメントが、開いた位置および拡張位置において少なくとも１つのローラーを捕捉して入る少なくとも１つの溝を有する。
【００１２】
本発明のさらに別の特徴は、ユーザに対して情報を目に見える形で表示するためにカバーエレメントの上面に構成された画面にある。
【００１３】
理想的には、少なくとも１つの機能エレメントが、後退位置と拡張位置との間で基部エレメントにおいて往復運動を行うために個々に取り付けられた２つの部分で構成されるファンクションキーボードであることが望ましい。これらのファンクションキーボード部の各々は、選択済みの機能と呼応するキー配列を備えるようにすることが可能であり、このキー配列をオフセットして、閉じた位置および後退位置においてキー配列とカバーエレメント間で生じる干渉の防止が図られる。ファンクションキーボードの上記２つの部分は、後退位置から拡張位置へ動いている間は互いから離れる方向に動き、拡張位置から後退位置へ動いている間は互いの方へ向かって動く。上記２つの部分は開いた位置および拡張位置においてカバーエレメントの対抗する側部に存在する。ファンクションキーボードは、開いた位置と拡張位置とで作業に使用するために露出され、閉じた位置と後退位置とでカバーエレメントとファンクションキーボードとはオーバラップする位置合わせの状態となる。
【００１４】
このファンクションキーボードは、上記２つの部分の間で分割されたフルファンクション・クアーティーキー配列を備えていれば好便である。
【００１５】
本発明のさらに別の特徴としては、通信用キーパッドがカバーエレメントの上面に構成され、このキーパッドは閉じた位置と開いた位置の双方で露出されて、作業用として使用される。
【発明を実施するための最良の形態】
【００１６】
添付図面と関連して行う以下の詳細な説明を参照するとき、本発明についての十分な理解が得られることになるであろう。
【実施例】
【００１７】
まず図面の図１を見ると、この図には、旋回可能カバー１４を有するキーボード基体部分１２を備えた、参照番号１０によって示される移動通信装置が一般的に例示されている。旋回可能カバー１４には、円形中心部１６から延伸する２つの拡張部１８Ａ，１８Ｂを備えた円形中心部１６が含まれる。例示を目的として移動電話と関連しながら本発明について説明を行うが、本発明は、ポケットベル（登録商標）、ゲーム装置等のような他の装置に対しても適用可能である。
【００１８】
図１に示されるように、移動通信装置１０の旋回可能カバー１４は、移動通信装置１０の円形中心部１６で画面２０を取り囲み、この円形中心部１６には、ユーザによるアクションに応じて、且つ、移動通信装置１０が通信モードで正確に作動しているとき、ユーザに関連情報を伝えるための表示部２２が設けられる。旋回可能カバー１４はスピーカまたはイヤホン２４およびマイク２６を備えているが、これらの動作については当業で周知であるため本明細書では説明しない。旋回可能カバー１４はまた、移動通信装置１０が標準的に作動する移動電話として通信モードで作動しているときに使用される標準的電話用キーパッド２８も備えている。移動通信装置１０の制御時と作動時に用いるための、種々の機能用のあるいは（オン／オフなどの）入力機能用の追加入力パッド３０を旋回可能カバー１４に設けるようにすることも可能である。移動通信装置１０は、所望のように拡張部１８Ａ，１８Ｂあるいはキーボード基体部分１６のうちの一方に取り付けた（デジタルカメラ、電池充電用入力部、ヘッドホン入力部などの）別の機能エレメントを備えることも可能である。当業者であれば理解できるように、移動通信装置１０を作動させる電子部品（図示せず）およびアンテナ（図示せず）のすべてが旋回可能カバー１４の中に設けられることになる。
【００１９】
図３と図４でわかるように、旋回可能カバー１４の円形中心部１６は円形中心部１６を完全に貫通する一対の偏心溝３４と開口部３６とを画面２０の下に有する。本明細書で以下さらに説明するように、電源の供給と画面２０とのデータ通信とを行うために利用する可撓ケーブルおよび／または同軸ケーブル（図示せず）用の出口として、開口部３６が設けられる。キーボード基体部分１２は、円形のディスク形状の突起部４０を有する中心円形基部３８と、中心円形基部３８のいずれの側部にも存在する２つの対向する凹部４２と、中心円形基部３８を貫通して凹部４２の中へ入る延在する２本の平行なシャフト４４とを有する。移動通信装置１０の中心軸４８に対して垂直に動くようになっている寸法サイズの２つのキーボード翼部４６が、凹部４２の中に固定され、シャフト４４で摺動可能に受け入れられる。キーボード翼部４６は、シャフト４４で摺動しながら受け入れられるように開口される。当業者であれば図２から理解できるように、キーボード翼部４６は、個々のキーボード翼部４６にキーの半分を設けたいわゆる標準クアーティー配置（standard QWERTY layout）として配列された入力キー配列５０を有する。キーボード翼部４６の最内部分に隣接して一対のピン５２がキーボード翼部４６の上面に配置される。ピン５２は、円形中心部１６の偏心溝３４に摺動可能に捕捉される寸法サイズのものである。旋回可能カバー１４がキーボード基体部分１２に対して組み立てられると、ピン５２は偏心溝３４の中に摺動可能に捕捉され、中心円形基部３８の円形突起部４０が延伸し、この突起部４０は旋回可能カバー１４内の差込み用凹部（図示せず）の中へ入る。ピン５２の頭部を広くして、キーボード基体部分１２と旋回可能カバー１４とを組み立てた状態で保持することができる。上記とは別に、画面２０にピン５２を取り付けることによってキーボード基体部分１２と旋回可能カバー１４とを組み立てた状態で保持することができる。キーボード基体部分１２内に電池（図示せず）を収納することも可能である。
【００２０】
キーボード翼部４６を露出するための移動通信装置１０の作動について特に図５〜図８を参照しながら詳細に説明する。移動通信装置１０の閉じた位置（図１および図５〜図６）で、キーボード基体部分１２は旋回可能カバー１４に位置合わせされ、旋回可能カバー１４によってカバーされ、キーボード翼部４６は後退位置の状態になる。ピン５２が偏心溝３４の中に捕捉されているため、キーボード基体部分１２に対する旋回可能カバー１４の逆時計回りの動きによって、キーボード翼部４６は、図７〜図８の矢印５４，５６によって示されるように、ピン５２が偏心溝３４に沿って動くにつれて、シャフト４４に沿って外側へ同時に動かされることになる。図２と図８とでわかるように、旋回可能カバー１４がカバー１４の開いた位置へ９０度（９０°）回転されると、ピン５２は偏心溝３４の端部に達し、キーボード翼部４６は画面２０によって分離されたＱＷＥＲＴＹ入力キー配列５０を露出する拡張位置の状態になる。開いた位置状態の間、表示部２２は入力キー配列５０およびキーパッド２８に位置合わせされる。したがって、移動通信装置１０の適合が可能な増大する適合対象アプリケーションに対処するフルファンクションキーボードがユーザへ提供されることになる。開いた位置から閉じた位置への旋回可能カバー１４の時計回りの動きによってキーボード翼部４６は後退位置へ戻されることになる。
【００２１】
図９〜図１５に、参照番号１１０によって一般的に示される移動通信装置の変更された実施形態が例示されている。移動通信装置１１０は旋回可能カバー１１４を備えたキーボード基体部分１１２を有する。移動通信装置１１０の旋回可能カバー１１４は、ユーザによるアクションに応じて、且つ、移動通信装置１０が通信モードで正確に作動しているとき、関連情報をユーザへ伝えるための表示部１１８を設けた画面１１６を取り囲んでいる。旋回可能カバー１１４はスピーカやイヤホン１２０およびマイク１２２を備えているが、これらの動作については当業で周知であるため、本明細書では説明しない。旋回可能カバー１１４は、移動通信装置１１０が作動する標準的な移動電話として通信モードで作動する際に利用する標準的な電話用キーパッド１１４もまた備えている。移動通信装置１１０の制御時と作動時に用いるための、種々の機能用のあるいは（オン／オフなどの）入力機能用の追加入力パッド１２６を設けるようにすることも可能である。当業者であれば理解できるように、移動通信装置１１０を作動させるための電子部品（図示せず）およびアンテナ（図示せず）のすべては旋回可能カバー１１４の中に含まれることになる。電池（図示せず）はキーボード基体部分１１２の中に収納が可能である。
【００２２】
図１１と図１２に図示のように、キーボード基体部分１１２は中心基部１２８と２つのキーボード翼部１３０とを具備する。中心基部１２８は、中心基部１２８の上部側面に２本の平行なチャネル１３２と、チャネル１３２に隣接する２つの停止ブロック１３４と、停止ブロック１３４の間に中心開口部１３６とを有する。チャネル１３２の中で固定されているスプリングアンカ４０と１つの端部で接続されている引っ張りバネ１３８とがチャネル１３２の中に配置されている。
【００２３】
個々のキーボード翼部１３０は、摺動かしながら受け入れられて、チャネル１３２のうちの一方の中へ入るようになっている寸法サイズの脚部拡張部１４２を有する。脚部拡張部１４２は、引っ張りバネ１３８の端部と固定されている開口部１４４（図１２にだけ図示の）を有し、それによって、脚部拡張部１４２は引っ張りバネ１３８によってバイアスがかけられ、移動通信装置１１０の閉じた位置と後退位置とで停止ブロック１３４と接する関係になる（図１４を参照のこと）。キーボード翼部１３０は、その中に小さな溝１４６も備えているが、この溝の機能と目的とについては本明細書で以下十分な理解を得ることができる。
【００２４】
一対のオフセットローラー１４８と中心ねじ込みナット１５０とが旋回可能カバー１１４の裏側に配置されている。ボルト１５２は、キーボード基体部分１１２の中心開口部１３６を貫通して延在し、中心ねじ込みナット１５０の中へ入って、キーボード基体部分１１２と旋回可能カバー１１４とを回動可能な組立状態に保持する。
【００２５】
図１３〜図１５を見ると、変更された実施形態の移動通信装置１１０の作動についてもっとも良く理解することが可能となる。図１３〜図１４に図示のように、移動通信装置１１０がその閉じた位置状態で、引っ張りバネ１３８は、キーボード翼部１３０と停止ブロック１３４との間にローラー１４８を挟む停止ブロック１３４に抗して、後退位置へ向かってキーボード翼部１３０にバイアスをかける。閉じた位置および後退位置において、キーボード基体部分１１２は位置合わせされ、旋回可能カバー１１４によってカバーされる。（図１４〜図１５に示されているように）キーボード基体部分１１２に対して旋回可能カバー１１４の逆時計回りの動きによって、図１４で矢印１５４によって示されるように、ローラー１４８がキーボード翼部１３０の接触する端縁に沿って動くにつれて、キーボード翼部１３０は外側へ同時に動かされることになる。図１０でわかるように、カバー１１４の開いた位置に対して旋回可能カバー１１４が９０度（９０°）回転すると、ローラー１４８はキーボード翼部１３０の溝１４６の中で固定し、キーボード翼部１３０は、画面１１６によって分離される標準キーボード配列を露出する拡張位置に達することになる。引っ張りバネ１３８はローラー１４８を溝１４６の中に保持する機能を果たす。カバー１１４の閉じた位置に対する旋回可能カバー１１４の時計回りの動きによって、キーボード翼部１３０の作動が逆向きに行われて、キーボード翼部１３０は後退位置へ戻され、引っ張りバネ１３８のアクションによって補助されることになる。
【００２６】
当業者であれば理解できるように、キーボード翼部（４６，１３０）と電池との間の電気接続であって、旋回可能カバー（１４，１１４）内の電子部品と画面（２０，１１６）とのすべての電気接続は可撓ケーブルおよび／または同軸ケーブル（図示せず）によって行われる。キーボード翼部（４６，１３０）は可撓ケーブルおよび／または同軸ケーブルを介して旋回可能カバー（１４，１１４）内の電子部品および画面（２０，１１６）と直接接続することが可能である。あるいは、キーボード翼部（４６，１３０）は、電池と接続し、順次、可撓ケーブルおよび／または同軸ケーブルを介して旋回可能カバー（１４，１１４）内の電子部品および画面（２０，１１６）と接続することができる。移動通信装置（１０，１１０）の（開口部３６など）の中心を貫通して延伸する周知の巻線と巻き取られた可撓ケーブルとの使用が可能である。キーボード翼部（４６，１３０）は、電池によって電力が供給され、可撓ケーブルおよび／または同軸ケーブルを介して旋回可能カバー（１４，１１４）内の電子部品と画面（２０，１１６）とへデータを伝送する直列インタフェース回路（図示せず）を備えたものであってもよい。
【００２７】
このようにして、移動通信装置と関連して作動する単純でかつコンパクトなキーボードが提供される。フランス語のＡＺＥＲＴＹやドイツ語のＱＷＥＲＴＺ（Ｕ）などの別のキー配列を用いることも可能であることに留意されたい。
【００２８】
可動式キーボードに関して説明したが、本発明の装置は、移動通信装置と共に有益に利用できるディスプレイ、カメラ、スピーカ等のような別の機能エレメントを露出するように設計することも可能である。
【００２９】
したがって、移動通信装置がキーボードのような可動式機能エレメントを提供するものであることが上述の明細書と添付図面とから理解できる。２つの翼部で構成されるエレメントの場合、通常の用途に用いるために装置の本体とカバーとに対して翼部が相対的に動くように、カバーは閉じた位置と開いた位置との間で旋回することが可能である。
【００３０】
以上により、本発明の多くの利点が当業者には明らかになったであろう。本発明の精神および特許請求の範囲から逸脱することなく、複数の変更例および修正例が本発明によりなされることも明らかであろう。したがって、上述の説明は限定のための説明ではなく、専ら例示のための説明と解釈すべきである。本発明は、特許請求の範囲によってのみ限定されるものである。
【図面の簡単な説明】
【００３１】
【図１】本発明の閉じた位置での移動通信装置の透視図である。
【図２】本発明の開いた位置での通信装置の透視図である。
【図３】本発明の閉じた位置での通信装置の部分分解透視図である。
【図４】本発明の開いた位置での通信装置の部分分解透視図である。
【図５】本発明の閉じた位置での通信装置の正面図であり、一部を壊して内部構造を明らかしたものである。
【図６】本発明の閉じた位置での通信装置のキーボード基体部分の正面図であり、キーボード基体部分からカバーを取り外した図であるが、参照のためにカバーの偏心溝が点線で示されている。
【図７】閉じた位置と開いた位置との間で動かす本発明の通信装置のキーボード基体部分の正面図であり、参照のためにカバーが点線で示されている。
【図８】本発明の開いた位置での通信装置のキーボード基体部分の正面図であり、参照のためにカバーが点線で示されている。
【図９】本発明の閉じた位置での通信装置の別の実施形態の透視図である。
【図１０】本発明の開いた位置での通信装置の図９の実施形態の透視図である。
【図１１】本発明の開いた位置での通信装置の図９の実施形態の背面図である。
【図１２】本発明の通信装置の図９の実施形態の部分分解透視図である。
【図１３】本発明の閉じた位置での通信装置の図９の実施形態の正面図である。
【図１４】本発明の閉じた位置での通信装置の図９の実施形態の正面図であり、参照のために、内部構造の一部が点線で示され、カバーが点線で示されている。
【図１５】開いた位置まで動かす本発明の通信装置の図９の実施形態の正面図であり、参照のために、内部構造の一部が点線で示され、カバーが点線で示されている。
【図１】
2007518286.tif 000003
【図２】
2007518286.tif 000004
【図３】
2007518286.tif 000005
【図４】
2007518286.tif 000006
【図５】
2007518286.tif 000007
【図６】
2007518286.tif 000008
【図７】
2007518286.tif 000009
【図８】
2007518286.tif 000010
【図９】
2007518286.tif 000011
【図１０】
2007518286.tif 000012
【図１１】
2007518286.tif 000013
【図１２】
2007518286.tif 000014
【図１３】
2007518286.tif 000015
【図１４】
2007518286.tif 000016
【図１５】
2007518286.tif 000017
【手続補正書】
【提出日】平成18年4月19日(2006.4.19)
【手続補正１】
【補正対象書類名】特許請求の範囲
【補正対象項目名】全文
【補正方法】変更
【補正の内容】
【特許請求の範囲】
【請求項１】
（ａ）基部エレメントと、
（ｂ）往復運動を行うために後退位置と拡張位置との間に取り付けられた少なくとも１つの機能エレメントと、
（ｃ）上面と下面とを有するカバーエレメントと、を具備する移動通信装置であって、前記カバーエレメントは、閉じた位置と開いた位置との間で前記基部エレメントに対して相対運動を行うように取り付けられ、且つ、前記閉じた位置と前記開いた位置との間で前記カバーエレメントが相対運動を行っている間に前記少なくとも１つの機能エレメントを前記後退位置と前記拡張位置との間で動かすようになっている移動通信装置。
【請求項２】
前記少なくとも１つの機能エレメントは、前記開いた位置および前記拡張位置において、作業に使用するために露出され、且つ、前記カバーエレメントおよび前記少なくとも１つの機能エレメントは、前記閉じた位置および前記後退位置において、一直線にオーバラップする請求項１に記載の移動通信装置。
【請求項３】
前記カバーエレメントは、前記基部エレメントに回転可能に取り付けられた旋回可能カバーエレメントである請求項１に記載の移動通信装置。
【請求項４】
前記旋回可能カバーエレメントは、当該旋回可能カバーエレメントの前記上面および前記下面に対して概ね垂直に延伸する軸の周りで、前記基部エレメントに回動可能に取り付けられている請求項３に記載の移動通信装置。
【請求項５】
前記旋回可能カバーエレメントは、前記少なくとも１つの機能エレメントの前記往復運動に対して概ね垂直に延伸する軸の周りで、前記基部エレメントに回動可能に取り付けられている請求項３に記載の移動通信装置。
【請求項６】
前記カバーエレメントは、前記閉じた位置と前記開いた位置との間で９０度回転される請求項５に記載の移動通信装置。
【請求項７】
前記カバーエレメントは、前記閉じた位置と前記開いた位置との間で９０度回転される請求項１に記載の移動通信装置。
【請求項８】
前記カバーエレメントおよび前記少なくとも１つの機能エレメントのうちの一方のエレメントは、少なくとも１つの偏心溝を規定し、前記カバーエレメントおよび前記少なくとも１つの機能エレメントのうちの他方のエレメントは、前記偏心溝の中に捕捉された少なくとも１つのピンを有し、それによって、前記閉じた位置と前記開いた位置との間で前記カバーエレメントが前記基部エレメントに対して相対運動を行っている間に、前記少なくとも１つの溝内の前記少なくとも１つのピンの機械的干渉は、前記後退位置と前記拡張位置との間で前記少なくとも１つの機能エレメントを動かす請求項１に記載の移動通信装置。
【請求項９】
前記少なくとも１つの溝は、前記カバーエレメントの中に規定され、前記少なくとも１つのピンは、前記少なくとも１つの機能エレメントに配置される請求項８に記載の移動通信装置。
【請求項１０】
前記少なくとも１つの機能エレメントは、往復運動を行うために、前記基部エレメント内の少なくとも１つのチャネル中に摺動可能に受け取られ、それによって、前記カバーエレメントおよび前記少なくとも１つの機能エレメントは、前記後退位置と前記拡張位置との間で前記少なくとも１つの機能エレメントを動かすために、前記閉じた位置と前記開いた位置との間での前記基部エレメントに対する前記カバーエレメントの相対運動の間に機械的に相互作用する請求項１に記載の移動通信装置。
【請求項１１】
（ａ）基部エレメントと、
（ｂ）往復運動を行うために後退位置と拡張位置との間に取り付けられ、該往復運動を行うために前記基部エレメント内の少なくとも１つのチャネル中に摺動可能に受け取られた少なくとも１つの機能エレメントと、
（ｃ）上面と下面とを有するカバーエレメントと、を具備する移動通信装置であって、
前記カバーエレメントは、閉じた位置と開いた位置との間で前記基部エレメントに対して相対運動を行うように取り付けられ、且つ、前記閉じた位置と前記開いた位置との間で前記カバーエレメントが相対運動を行っている間に前記少なくとも１つの機能エレメントを前記後退位置と前記拡張位置との間で動かし、
前記カバーエレメントは、前記後退位置と前記拡張位置との間で前記少なくとも１つの機能エレメントを動かすために、前記閉じた位置と前記開いた位置との間での前記基部エレメントに対する前記カバーエレメントの相対運動の間に前記少なくとも１つの機能エレメントを係合する少なくとも１つのローラーを当該カバーエレメント上に有し、それによって、前記カバーエレメントおよび前記少なくとも１つの機能エレメントは、前記後退位置と前記拡張位置との間で前記少なくとも１つの機能エレメントを動かすために、前記閉じた位置と前記開いた位置との間での前記基部エレメントに対する前記カバーエレメントの相対運動の間に機械的に相互作用する移動通信装置。
【請求項１２】
前記少なくとも１つの機能エレメントは、前記閉じた位置と前記開いた位置との間で前記カバーエレメントが前記基部エレメントに対して相対運動を行っている間に、当該少なくとも１つの機能エレメントが前記後退位置と前記拡張位置との間で移動されるとき、前記少なくとも１つのローラーに対して前記少なくとも１つの機能エレメントをバイアスするための少なくとも１つの引っ張りバネエレメントを有する請求項１１に記載の移動通信装置。
【請求項１３】
前記少なくとも１つの機能エレメントは、前記開いた位置および前記拡張位置において前記少なくとも１つのローラーを捕捉して中へ入れるための少なくとも１つの溝を有する請求項１２に記載の移動通信装置。
【請求項１４】
前記少なくとも１つの機能エレメントは、前記開いた位置および前記拡張位置において前記少なくとも１つのローラーを捕捉して中へ入れるための少なくとも１つの溝を有する請求項１１に記載の移動通信装置。
【請求項１５】
前記閉じた位置と前記開いた位置との間での前記基部エレメントに対する前記カバーエレメントの相対運動の間に、前記後退位置と前記拡張位置との間で前記少なくとも１つの機能エレメントが動かされるとき、前記少なくとも１つの機能エレメントは、前記カバーエレメントに抗して前記少なくとも１つの機能エレメントにバイアスをかけるための少なくとも１つの引っ張りバネエレメントを有する請求項１０に記載の移動通信装置。
【請求項１６】
前記カバーエレメントは、前記閉じた位置と前記開いた位置との間で前記基部エレメントに対して相対運動を行っている間に、前記後退位置と前記拡張位置との間で前記少なくとも１つの機能エレメントを動かすとき、前記少なくとも１つの機能エレメントは、前記カバーエレメントに抗して前記少なくとも１つの機能エレメントにバイアスをかけるための少なくとも１つの引っ張りバネエレメントを有する請求項１に記載の移動通信装置。
【請求項１７】
ユーザに対して情報を目に見える形で表示するために前記カバーエレメントの前記上面に構成した画面をさらに備える請求項１に記載の移動通信装置。
【請求項１８】
前記少なくとも１つの機能エレメントは、ファンクションキーボードである請求項１に記載の移動通信装置。
【請求項１９】
前記ファンクションキーボードは、前記後退位置と前記拡張位置との間で前記基部エレメントにおいて往復運動を行うために個々に取り付けた２つの部分に構成され、前記ファンクションキーボードの部分の各々は、選択済みの機能と呼応するキー配列を有する請求項１８に記載の移動通信装置。
【請求項２０】
前記ファンクションキーボードの前記２つの部分は、前記後退位置から前記拡張位置へ動いている間は互いから離れて動き、前記拡張位置から前記後退位置へ動いている間は互いの方へ向かって動く請求項１９に記載の移動通信装置。
【請求項２１】
前記開いた位置および前記拡張位置において、前記２つの部分は、前記カバーエレメントの対抗する側部に存在する請求項１９に記載の移動通信装置。
【請求項２２】
前記ファンクションキーボードは、前記開いた位置および前記拡張位置で作業に使用するために露出され、前記閉じた位置および前記後退位置で前記カバーエレメントおよび前記ファンクションキーボードは、オーバラップする位置合わせの状態にある請求項１８に記載の移動通信装置。
【請求項２３】
前記ファンクションキーボードは、前記２つの部分の間で分割されたフルファンクション・クアーティーキー配列を具備する請求項１９に記載の移動通信装置。
【請求項２４】
前記ファンクションキーボードは、選択済みの機能と呼応するキー配列を有し、前記閉じた位置および前記後退位置におけるキーの前記配列と前記カバーエレメントとの間の干渉を防ぐためにキーの前記配列をオフセットする請求項１８に記載の移動通信装置。
【請求項２５】
前記カバーエレメントの前記上面に構成された通信用キーパッドをさらに備え、該キーパッドは、前記閉じた位置および前記開いた位置で作業に使用するために露出される請求項１に記載の移動通信装置。
【請求項２６】
前記閉じた位置と前記開いた位置との間で前記カバーエレメントが前記基部エレメントに対して相対運動を行っている間に、前記少なくとも１つの溝内の前記少なくとも１つのピンの機械的干渉は、前記後退位置と前記拡張位置との間で前記少なくとも１つの機能エレメントを動かすために、前記カバーエレメントおよび前記少なくとも１つの機能エレメントを接続するための機械的に相互作用する手段をさらに備える請求項１に記載の移動通信装置。
【請求項２７】
前記少なくとも１つの機能エレメントは、往復運動を行うために、前記基部エレメント内の少なくとも１つのチャネル中に摺動可能に受け取られる請求項２６に記載の移動通信装置。
【請求項２８】
前記機械的に相互作用する手段は、ピン従事部を有する少なくとも１つの偏心溝である請求項２６に記載の移動通信装置。
【請求項２９】
前記機械的に相互作用する手段は、前記後退位置と前記拡張位置との間で前記少なくとも１つの機能エレメントを動かすために、前記閉じた位置と前記開いた位置との間での前記基部エレメントに対する前記カバーエレメントの相対運動の間に前記少なくとも１つの機能エレメントを係合する前記カバーエレメントの一部を備える請求項２６に記載の移動通信装置。
【手続補正２】
【補正対象書類名】明細書
【補正対象項目名】０００９
【補正方法】変更
【補正の内容】
【０００９】
本発明によれば、（ａ）基部エレメントと、（ｂ）往復運動を行うために後退位置と拡張位置との間に取り付けられた少なくとも１つの機能エレメントと、（ｃ）上面と下面とを有するカバーエレメントと、を具備する移動通信装置であって、前記カバーエレメントは、閉じた位置と開いた位置との間で前記基部エレメントに対して相対運動を行うように取り付けられ、且つ、前記閉じた位置と前記開いた位置との間で前記カバーエレメントが相対運動を行っている間に前記少なくとも１つの機能エレメントを前記後退位置と前記拡張位置との間で動かすようになっている移動通信装置が提供される。
また、本発明によれば、（ａ）基部エレメントと、（ｂ）往復運動を行うために後退位置と拡張位置との間に取り付けられ、該往復運動を行うために前記基部エレメント内の少なくとも１つのチャネル中に摺動可能に受け取られた少なくとも１つの機能エレメントと、（ｃ）上面と下面とを有するカバーエレメントと、を具備する移動通信装置であって、前記カバーエレメントは、閉じた位置と開いた位置との間で前記基部エレメントに対して相対運動を行うように取り付けられ、且つ、前記閉じた位置と前記開いた位置との間で前記カバーエレメントが相対運動を行っている間に前記少なくとも１つの機能エレメントを前記後退位置と前記拡張位置との間で動かし、前記カバーエレメントは、前記後退位置と前記拡張位置との間で前記少なくとも１つの機能エレメントを動かすために、前記閉じた位置と前記開いた位置との間での前記基部エレメントに対する前記カバーエレメントの相対運動の間に前記少なくとも１つの機能エレメントを係合する少なくとも１つのローラーを当該カバーエレメント上に有し、それによって、前記カバーエレメントおよび前記少なくとも１つの機能エレメントは、前記後退位置と前記拡張位置との間で前記少なくとも１つの機能エレメントを動かすために、前記閉じた位置と前記開いた位置との間での前記基部エレメントに対する前記カバーエレメントの相対運動の間に機械的に相互作用する移動通信装置が提供される。
本発明の実施形態によれば、上記カバーエレメントは、このカバーエレメントの上面および下面に対して概ね垂直に延伸し、且つ、少なくとも１つの機能エレメントの往復運動に対して概ね垂直に延伸する軸の周りに基部エレメントに回転可能に取り付けた旋回可能カバーエレメントである。このカバーエレメントは、閉じた位置と開いた位置との間での回転中に９０度回転される。
【手続補正３】
【補正対象書類名】明細書
【補正対象項目名】００１８
【補正方法】変更
【補正の内容】
【００１８】
図１に示されるように、移動通信装置１０の旋回可能カバー１４は、移動通信装置１０の円形中心部１６で画面２０を取り囲み、この円形中心部１６には、ユーザによるアクションに応じて、且つ、移動通信装置１０が通信モードで正確に作動しているとき、ユーザに関連情報を伝えるための表示部２２が設けられる。旋回可能カバー１４はスピーカまたはイヤホン２４およびマイク２６を備えているが、これらの動作については当業で周知であるため本明細書では説明しない。旋回可能カバー１４はまた、移動通信装置１０が標準的に作動する移動電話として通信モードで作動しているときに使用される標準的電話用キーパッド２８も備えている。移動通信装置１０の制御時と作動時に用いるための、種々の機能用のあるいは（オン／オフなどの）入力機能用の追加入力パッド３０を旋回可能カバー１４に設けるようにすることも可能である。移動通信装置１０は、所望のように拡張部１８Ａ，１８Ｂあるいはキーボード基体部分１２のうちの一方に取り付けた（デジタルカメラ、電池充電用入力部、ヘッドホン入力部などの）別の機能エレメントを備えることも可能である。当業者であれば理解できるように、移動通信装置１０を作動させる電子部品（図示せず）およびアンテナ（図示せず）のすべてが旋回可能カバー１４の中に設けられることになる。
【手続補正４】
【補正対象書類名】図面
【補正対象項目名】図１
【補正方法】変更
【補正の内容】
【図１】
2007518286.tif 000018
【手続補正５】
【補正対象書類名】図面
【補正対象項目名】図２
【補正方法】変更
【補正の内容】
【図２】
2007518286.tif 000019
【国際調査報告】
2007518286.tif 000020